(57)【特許請求の範囲】
【請求項１】
製品に対する作業の進捗状況に関する進捗情報を記憶する記憶部と、
製品に対する作業が行われる工程を工程順に表示するとともに、前記進捗情報に含まれる製品のうち、仕掛かり中である製品に対応する図形を当該製品が仕掛かり中の工程に対応づけて表示し、さらに、前記進捗情報に含まれる製品のうち、第１の工程と第２の工程の間で工程間在庫となっている製品に対応する図形を前記第１の工程と前記第２の工程の中間の対応する位置に積み上げるように表示する制御部とを備え、
前記制御部は、作業の進捗が遅れている製品に対応する図形に、遅れの原因に対応するシンボルを付加することを特徴とする進捗表示装置。
【請求項２】
前記制御部は、作業の進捗の進み具合に応じて製品に対応する図形を表示する態様を変化させることを特徴とする請求項１に記載の進捗表示装置。
【請求項３】
前記制御部は、利用者の操作に応じて、作業対象の全ての製品に対応する図形を表示させる状態と、同時に出荷すべき製品に対応する図形のみを表示させる状態とを切り替えることを特徴とする請求項１または２に記載の進捗表示装置。
【請求項４】
前記制御部は、製品に対応する図形に対して所定の操作が行われた場合に、当該製品に関する詳細情報を表示させることを特徴とする請求項１から３のいずれか１項に記載の進捗表示装置。
【請求項５】
前記制御部は、各工程の中間に柱状の図形を表示し、工程間在庫となっている製品を当該柱状の図形の上に積み上がっているように表示することを特徴とする請求項１から４のいずれか１項に記載の進捗表示装置。
【請求項６】
製品に対する作業の進捗状況を表示する進捗表示装置によって実行される進捗状況表示方法であって、
製品に対する作業が行われる工程を工程順に表示するステップと、
製品に対する作業の進捗状況に関する進捗情報に含まれる製品のうち、仕掛かり中である製品に対応する図形を当該製品が仕掛かり中の工程に対応づけて表示し、さらに、前記進捗情報に含まれる製品のうち、第１の工程と第２の工程の間で工程間在庫となっている製品に対応する図形を前記第１の工程と前記第２の工程の中間の対応する位置に積み上げるように表示し、また、作業の進捗が遅れている製品に対応する図形に、遅れの原因に対応するシンボルを付加するステップと
を含むことを特徴とする進捗表示方法。
【請求項７】
製品に対する作業の進捗状況を表示する進捗表示装置に、
製品に対する作業が行われる工程を工程順に表示するステップと、
製品に対する作業の進捗状況に関する進捗情報に含まれる製品のうち、仕掛かり中である製品に対応する図形を当該製品が仕掛かり中の工程に対応づけて表示し、さらに、前記進捗情報に含まれる製品のうち、第１の工程と第２の工程の間で工程間在庫となっている製品に対応する図形を前記第１の工程と前記第２の工程の中間の対応する位置に積み上げるように表示し、また、作業の進捗が遅れている製品に対応する図形に、遅れの原因に対応するシンボルを付加するステップと
を実行させることを特徴とする進捗表示プログラム。
【発明の詳細な説明】
【技術分野】
【０００１】
本発明は、製品に対する作業の進捗状況を表示する進捗表示装置、進捗表示方法および進捗表示プログラムに関する。
【背景技術】
【０００２】
生産管理の分野においては、変動に対する対処を容易にするための各種の技術が提案されている。例えば、特許文献１では、複数ラインを有する生産ラインに対して外部から要求変動が発生した場合の対処を容易にする技術が提案されている。
【先行技術文献】
【特許文献】
【０００３】
【特許文献１】特開平０６−３４８３０９号公報
【発明の概要】
【発明が解決しようとする課題】
【０００４】
特許文献１が提案している技術は、要求変動という外的変動のみにしか対応しておらず、生産トラブル等の内的変動には対応していない。生産管理の質を高めるには、内的変動を含めた各種変動を早期に検出し、対策を迅速に立案することが重要である。
【０００５】
本発明は、上記に鑑みてなされたものであって、各種変動を早期に検出し、対策を迅速に立案することを支援する進捗表示装置、進捗表示方法および進捗表示プログラムを提供することを目的とする。
【課題を解決するための手段】
【０００６】
上述した課題を解決し、目的を達成するために、本発明に係る進捗表示装置は、製品に対する作業の進捗状況に関する進捗情報を記憶する記憶部と、製品に対する作業が行われる工程を工程順に表示するとともに、前記進捗情報に基づいて、製品が仕掛かり中である場合には、当該製品に対応する図形を当該製品が仕掛かり中の工程に対応づけて表示し、製品が第１の工程と第２の工程の間で工程間在庫となっている場合には、当該製品に対応する図形を前記第１の工程と前記第２の工程の中間の対応する位置に積み上げるように表示する制御部とを備える。
【０００７】
ここで、本発明の望ましい態様として、前記制御部は、作業の進捗の進み具合に応じて製品に対応する図形を表示する態様を変化させる。
【０００８】
また、本発明の望ましい態様として、前記制御部は、利用者の操作に応じて、作業対象の全ての製品に対応する図形を表示させる状態と、同時に出荷すべき製品に対応する図形のみを表示させる状態とを切り替える。
【０００９】
また、本発明の望ましい態様として、前記制御部は、製品に対応する図形に対して所定の操作が行われた場合に、当該製品に関する詳細情報を表示させる。
【００１０】
また、本発明の望ましい態様として、前記制御部は、作業の進捗が遅れている製品に対応する図形に、遅れの原因に対応するシンボルを付加する。
【００１１】
また、本発明の望ましい態様として、前記制御部は、各工程の中間に柱状の図形を表示し、工程間在庫となっている製品を当該柱状の図形の上に積み上がっているように表示する。
【００１２】
また、上述した課題を解決し、目的を達成するために、本発明に係る進捗表示方法は、製品に対する作業の進捗状況を表示する進捗表示装置によって実行される進捗状況表示方法であって、製品に対する作業が行われる工程を工程順に表示するステップと、製品に対する作業の進捗状況に関する進捗情報に基づいて、製品が仕掛かり中である場合には、当該製品に対応する図形を当該製品が仕掛かり中の工程に対応づけて表示し、製品が第１の工程と第２の工程の間で工程間在庫となっている場合には、当該製品に対応する図形を前記第１の工程と前記第２の工程の中間の対応する位置に積み上げるように表示するステップとを含む。
【００１３】
また、上述した課題を解決し、目的を達成するために、本発明に係る進捗表示プログラムは、製品に対する作業の進捗状況を表示する進捗表示装置に、製品に対する作業が行われる工程を工程順に表示するステップと、製品に対する作業の進捗状況に関する進捗情報に基づいて、製品が仕掛かり中である場合には、当該製品に対応する図形を当該製品が仕掛かり中の工程に対応づけて表示し、製品が第１の工程と第２の工程の間で工程間在庫となっている場合には、当該製品に対応する図形を前記第１の工程と前記第２の工程の中間の対応する位置に積み上げるように表示するステップとを実行させる。
【発明の効果】
【００１４】
本発明に係る進捗表示装置、進捗表示方法および進捗表示プログラムは、各種変動を早期に検出し、対策を迅速に立案することを支援することができるという効果を奏する。
【図面の簡単な説明】
【００１５】
【図１】図１は、本実施例に係る進捗表示装置の構成と、進捗表示装置を含む生産管理システムの構成とを示すブロック図である。
【図２】図２は、工程マスタの一例を示す図である。
【図３】図３は、進捗情報の一例を示す図である。
【図４】図４は、進捗表示画面の一例を示す図である。
【図５】図５は、同時に出荷すべき製品のみを表示する例を示す図である。
【図６】図６は、詳細情報を表示する例を示す図である。
【図７】図７は、進捗表示画面作成処理の処理手順を示すフローチャートである。
【発明を実施するための形態】
【００１６】
以下に、本発明に係る進捗表示装置、進捗表示方法および進捗表示プログラムの実施例を図面に基づいて詳細に説明する。なお、この実施例によりこの発明が限定されるものではない。また、この実施例における構成要素には、当業者が容易に想定できるもの、実質的に同一のもの、いわゆる均等の範囲のものが含まれる。
【実施例】
【００１７】
まず、図１を参照しながら、本実施例に係る進捗表示装置１０の構成と、進捗表示装置１０を含む生産管理システムの構成とについて説明する。図１は、進捗表示装置１０の構成と、進捗表示装置１０を含む生産管理システムの構成とを示すブロック図である。図１に示す生産管理システムは、進捗表示装置１０と、作業計画作成装置２１と、進捗管理装置２２と、出荷管理装置２３と、品質管理装置２４と、インターフェースモジュール３０とを含む。
【００１８】
作業計画作成装置２１は、製品の受注数および納期、製品の製造ラインの生産能力、作業員の勤務シフト等に基づいて、製品を効率よく生産するための作業計画情報を作成する。進捗管理装置２２は、各生産工程の作業の進捗状況を管理する。出荷管理装置２３は、製品の出荷予定および出荷状況を管理する。品質管理装置２４は、生産される製品の品質を管理する。インターフェースモジュール３０は、各装置間でのデータの交換を可能にするために、データの変換や蓄積等を行う。
【００１９】
進捗表示装置１０は、生産工程全体の状況を可視化することによって、各種変動を早期に検出し、対策を迅速に立案することを支援する。進捗表示装置１０は、通信部１１と、制御部１２と、記憶部１３と、表示部１４と、入力部１５と、媒体読取部１６とを備える。
【００２０】
通信部１１は、所定の通信プロトコルに基づいて、インターフェースモジュール３０等との間での情報の送受信を制御する。表示部１４は、液晶パネルや有機ＥＬ（Organic Electro−Luminescence）パネル等の表示装置を有し、文字や図形等の各種情報を表示する。入力部１５は、キーボード等の入力装置を有し、利用者からの情報や指示の入力を受け付ける。媒体読取部１６は、ＣＤ−ＲＯＭ等の記憶媒体からプログラムやデータを読み出す。
【００２１】
制御部１２は、演算手段であるＣＰＵ（Central Processing Unit）１２１と、記憶手段であるメモリ１２２とを備え、これらのハードウェア資源を用いてプログラムを実行することによって各種の機能を実現する。具体的には、制御部１２は、記憶部１３に記憶されているプログラムを読み出してメモリ１２２に展開し、メモリ１２２に展開されたプログラムに含まれる命令をＣＰＵ１２１に実行させる。そして、制御部１２は、ＣＰＵ１２１による命令の実行結果に応じて、メモリ１２２および記憶部１３に対してデータの読み書きを行ったり、通信部１１等の動作を制御したりする。
【００２２】
記憶部１３は、磁気記憶装置や半導体記憶装置等の不揮発性を有する記憶装置からなり、各種のプログラムやデータを記憶する。記憶部１３に記憶されるプログラムには、進捗表示プログラム１３１が含まれる。記憶部１３に記憶されるデータには、工程マスタ１３２と、進捗情報１３３と、出荷管理情報１３４と、品質管理情報１３５とが含まれる。
【００２３】
進捗表示プログラム１３１は、生産工程全体の状況を可視化するための各種の機能を提供する。生産工程全体の状況を可視化するための各種の機能には、例えば、各工程で仕掛かり中の製品や工程間在庫となっている製品をわかりやすく可視化する機能等が含まれる。ここで、本実施例における「製品」とは、製造ラインで生産されるものを意味し、必ずしも最終製品を意味しない。すなわち、本実施例における「製品」には、最終製品に部品として組み込まれるものも含まれる。
【００２４】
工程マスタ１３２は、製品を生産するための工程に関する情報を保持する。図２は、工程マスタ１３２の一例を示す図である。図２に示す工程マスタ１３２は、製造ライン番号、工程番号、次工程番号、工程名といった項目を有し、１つの製造ライン番号に対して工程番号、次工程番号および工程名の組み合わせを複数対応付けることができるように構成されている。
【００２５】
製造ライン番号は、製造ラインを識別するための番号である。工程番号は、製造ラインに含まれる工程を識別するための番号である。次工程番号は、次の工程を識別するための番号である。工程名は、工程の名称である。
【００２６】
例えば、図２に示す工程マスタ１３２の１行目のデータでは、製造ライン番号に「ＬＡ」が設定され、工程番号に「ＰＡ０１」が設定され、次工程番号に「ＰＡ０２」が設定され、工程名に「組立Ａ」が設定されている。このデータは、「ＬＡ」という番号で識別される製造ラインに、「ＰＡ０１」という番号で識別され、「組立Ａ」という名称をもつ工程が含まれることを意味している。また、このデータは、「ＬＡ」という番号で識別される製造ラインにおいて、「ＰＡ０１」という番号で識別される工程の次の工程は、「ＰＡ０２」という番号で識別される工程であることを示している。
【００２７】
なお、進捗表示装置１０は、途中で合流や分岐がある製造ラインを扱うこともできる。例えば、図２に示す工程マスタ１３２では、製造ライン番号が「ＬＡ」で工程番号が「ＰＡ０２」のデータと、製造ライン番号が「ＬＡ」で工程番号が「ＰＡ０４」のデータとのいずれもが次工程番号の値として「ＰＡ０５」を保持している。このことは、「ＰＡ０２」という番号で識別される工程および「ＰＡ０４」という番号で識別される工程の次工程が同じであること、すなわち、「ＬＡ」という番号で識別される製造ラインの途中に合流が存在することを示している。
【００２８】
進捗情報１３３は、製品の生産の進捗状況に関する情報を保持する。進捗情報１３３は、インターフェースモジュール３０を介して作業計画作成装置２１および進捗管理装置２２から取得される作業計画情報および作業実績情報に基づいて更新される。図３は、進捗情報１３３の一例を示す図である。図３に示す進捗情報１３３は、オーダ番号、製品番号、工程番号、開始予定時刻、完了予定時刻、開始時刻、完了時刻といった項目を有し、製品毎かつ工程毎にデータが作成される。
【００２９】
オーダ番号は、同時に出荷すべき製品の集合を識別するための番号である。製品番号は、製品を識別するための番号である。工程番号は、工程を識別するための番号であり、工程マスタ１３２の工程番号と対応する。開始予定時刻は、工程番号で識別される工程において、製品番号で識別される製品に対する作業を開始すべき計画上の時刻である。完了予定時刻は、工程番号で識別される工程において、製品番号で識別される製品に対する作業を完了すべき計画上の時刻である。
【００３０】
開始時刻は、工程番号で識別される工程において、製品番号で識別される製品に対する作業が開始された実際の時刻である。完了時刻は、工程番号で識別される工程において、製品番号で識別される製品に対する作業が完了した実際の時刻である。なお、作業が開始された実際の時刻および作業が完了した実際の時刻は、例えば、作業員が製品に添付された伝票のバーコード等を作業の開始時および完了時に読取装置で読み取った時刻を進捗管理装置２２が収集することによって得られる。
【００３１】
進捗情報１３３において、開始時刻が未設定のデータは、工程番号で識別される工程において、製品番号で識別される製品に対する作業が未だ開始されていないことを示す。また、開始時刻が設定されているが完了時刻が未設定のデータは、工程番号で識別される工程において、製品番号で識別される製品に対する作業が開始されたが未だ完了していないこと、すなわち、仕掛かり中であることを示す。また、開始時刻と完了時刻の両方が設定されているデータは、工程番号で識別される工程において、製品番号で識別される製品に対する作業が完了していることを示す。
【００３２】
さらに、進捗情報１３３において、同一の製品に関するデータを工程順にみていくことにより、製品の最新の状態を判定することができる。例えば、図３に示す進捗情報１３３において、「４」という番号で識別される製品のデータのうち、「ＰＡ０６」という番号で識別される工程のデータでは開始時刻と完了時刻の両方が設定されているが、その次の工程のデータでは開始時刻と完了時刻のいずれも設定されていない。これは、「４」という番号で識別される製品が、「ＰＡ０６」という番号で識別される工程での作業を終え、次の工程での作業の開始を待つ工程間在庫の状態にあることを示している。
【００３３】
また、図３に示す進捗情報１３３において、「５」という番号で識別される製品のデータのうち、「ＰＡ０４」という番号で識別される工程のデータでは開始時刻と完了時刻の両方が設定されているが、その次の工程のデータでは開始時刻のみが設定されている。これは、「５」という番号で識別される製品が、「ＰＡ０４」という番号で識別される工程の次の工程で仕掛かり中の状態にあることを示している。
【００３４】
さらに、進捗情報１３３において、同一のデータに設定されている計画上の時刻と実際の時刻とを比較することにより、製品に対する作業の進捗状況を判定することができる。例えば、図３に示す進捗情報１３３において、「４」という番号で識別される製品について最後に設定されている実際の時刻である「１４：１３」に対応する計画上の時刻は「１４：３０」である。これは、「４」という番号で識別される製品に対する作業が、現在、計画よりも１７分進んでいることを示している。
【００３５】
また、図３に示す進捗情報１３３において、「５」という番号で識別される製品について最後に設定されている実際の時刻である「１４：２４」に対応する計画上の時刻は「１４：００」である。これは、「５」という番号で識別される製品に対する作業が、現在、計画よりも２４分遅れていることを示している。
【００３６】
出荷管理情報１３４は、製品の出荷予定に関する情報を保持する。出荷管理情報１３４は、インターフェースモジュール３０を介して出荷管理装置２３から取得される情報に基づいて更新される。品質管理情報１３５は、製品の品質に関する情報を保持する。品質管理情報１３５は、インターフェースモジュール３０を介して品質管理装置２４から取得される情報に基づいて更新される。
【００３７】
なお、図１において記憶部１３が記憶することとしているプログラムおよびデータの一部または全ては、進捗表示装置１０がネットワークを介して通信可能な他の装置に記憶され、必要に応じて進捗表示装置１０にダウンロードされることとしてもよい。また、図１において記憶部１３が記憶することとしているプログラムおよびデータの一部または全ては、可搬の記憶媒体に記憶され、必要に応じて媒体読取部１６によって読み出されることとしてもよい。
【００３８】
また、図１において示した進捗表示装置１０と他の情報処理装置の接続は一例であり、進捗表示装置１０は、図１に示した他の情報処理装置の全てと接続されていなくてもよいし、図１に示していない他の情報処理装置と接続されていてもよい。また、進捗表示装置１０は、他の装置の機能を併せもっていてもよい。
【００３９】
次に、図４から６を参照しながら、進捗表示装置１０が生産工程全体の状況を可視化するために表示する進捗表示画面について説明する。図４は、進捗表示画面の一例を示す図である。図４に示すように、進捗表示画面では、工程マスタ１３２に基づいて、全ての製造ラインに含まれる工程の名称が、工程順に図示される。図４に示す例では、工程の流れが系統図として図示され、工程の前後関係や合流地点等が理解しやすく表示されている。もちろん、利用者は、進捗表示画面の一部を拡大して特定の製造ラインのみを表示させることもできる。
【００４０】
さらに、進捗表示画面では、製品に対応する図形Ｆが製品の現在の状況に対応する位置に図示される。具体的には、いずれかの工程において仕掛かり中の製品に対応する図形Ｆは、その工程に対応する位置に図示される。また、いずれかの工程の間で工程間在庫となっている製品に対応する図形Ｆは、それらの工程の中間に対応する位置に積み上げて図示される。
【００４１】
図４に示す例では、図形Ｆは矩形として図示されている。そして、それぞれの図形Ｆの内部には、対応する製品のオーダ番号と製品番号とが「‐（ハイフン）」で連結されて表示されている。なお、図形Ｆの形状は、矩形に限定されず、例えば、円、多角形、立体を模した図形等であってもよい。
【００４２】
また、図４に示す例では、いずれかの工程において仕掛かり中の製品に対応する図形Ｆは、その工程の名称の近傍に図示されている。例えば、オーダ番号が「Ａ」で製品番号が「１」の製品に対応する図形Ｆは、「発送準備」という名前の工程の近傍に表示されている。これは、この図形Ｆに対応する製品が、「発送準備」という名前の工程で仕掛かり中であることを示している。なお、仕掛かり中の製品に対応する図形Ｆを表示する位置は図４の例に限定されず、どの工程において仕掛かり中であるのかが明確であればよい。
【００４３】
また、図４に示す例では、いずれかの工程間で工程間在庫となっている製品に対応する図形Ｆは、それらの工程間に設けられたＹ字型の柱図形Ｐの上に積み重ねられているかのように図示されている。例えば、オーダ番号が「Ｃ」で製品番号が「３」の製品に対応する図形Ｆは、「配線」という名前の工程と「性能試験Ｃ」という名前の工程の中間に設けられた柱図形Ｐの上に図示され、その上に、オーダ番号が「Ｄ」で製品番号が「４」の製品に対応する図形Ｆが図示されている。これは、これらの図形Ｆに対応する製品が、「配線」という名前の工程と「性能試験Ｃ」という名前の工程の間で工程間在庫となっていることを示している。なお、工程間在庫の製品に対応する図形Ｆを表示する位置は図４の例に限定されず、どの工程とどの工程との間において工程間在庫となっているのかが明確であればよい。
【００４４】
このように、工程間在庫に対応する図形Ｆを工程の中間に対応する位置に積み上げて表示することにより、生産工程全体のどこでどの程度の工程間在庫が発生しているかを分かりやすく提示することができる。
【００４５】
なお、工程間在庫に対する対策は、作業の進捗状況により異なる。例えば、作業が計画よりも前倒しで進行しているために工程間在庫が発生している場合は、特に急いで対策を行わなくても構わない場合が多い。一方、作業が遅延しているために工程間在庫が発生している場合は、迅速に対策を立案すべきである。
【００４６】
そこで、進捗表示画面では、進捗情報１３３に基づいて判定される作業の進捗状況に応じて、製品に対応する図形Ｆが異なる態様で表示される。図４に示す例では、作業の進捗が進んでいるか、通常であるか、遅れているかによって、製品に対応する図形Ｆの背景が異なっている。ここで、作業の進み具合は、計画上の時刻と実際の時刻との差が予め設定された範囲に収まっているか否かに基づいて判定される。なお、作業の進捗状況の区分の細分化の程度と、進捗状況に応じた態様の変化のさせ方は、図４の例に限定されない。例えば、作業の進捗状況をさらに細分化してもよいし、遅れているか否かのみを区別してもよい。また、進捗状況に応じて背景の色、文字の色、図形の形状、図形の大きさ等を変化させてもよい。
【００４７】
このように、進捗状況に応じて製品に対応する図形Ｆを表示する態様を変化させることにより、対策の立案の喫緊性をわかりやすく提示することができる。例えば、作業の遅延を示す態様の図形Ｆがある工程間に多数積み上がっている場合、管理者等は、その部分について対策を至急に立案すべきことを容易に把握できる。また、管理者等は、作業の遅延を示す態様の図形Ｆが積み上がっている数に基づいて、対処を立案する工程の優先順位を容易に決定することができる。
【００４８】
なお、対策を立案するに際しては、出荷する単位を考慮することも重要である。例えば、５つの製品を同時に出荷すべき場合に、４つの製品を計画通りに仕上げることができても、残りの１つの製品の仕上がりが遅れれば、既に仕上がっている４つの製品を出荷することができない。
【００４９】
そこで、進捗表示画面では、既に説明したように、製品に対応する図形Ｆと対応付けて製品のオーダ番号が図示される。さらに、進捗表示画面は、メニュー選択等によって特定のオーダ番号が選択された場合に、そのオーダ番号に対応する集合に属する製品のみを表示するように構成されている。
【００５０】
図５は、同時に出荷すべき製品のみを表示する例を示す図である。図５に示す進捗表示画面は、メニュー選択等によってオーダ番号「Ｅ」が選択された場合の例を示している。このように、同時に出荷すべき製品のみを表示することにより、同時に出荷すべき製品全体の進捗状況を改善するための対策の立案が容易になる。
【００５１】
例えば、図５に示す例では、「６」という番号で識別される製品に対する作業は計画よりも進んでいるのに対して、「５」という番号で識別される製品に対する作業は計画よりも遅れている。この場合、「６」という番号で識別される製品に対する作業が現在よりも多少遅れても問題はない。そこで、「６」という番号で識別される製品に対する作業を行う要員に「５」という番号で識別される製品に対する作業を支援させることで、遅延の解消を図ることができる。
【００５２】
また、対策を立案するに際しては、問題の原因を把握することも重要である。そこで、進捗表示画面では、進捗が遅延している場合に遅延の原因に対応するシンボルＳが図形Ｆと対応づけて図示されることがある。遅延の原因は、出荷管理情報１３４や品質管理情報１３５等の他の装置から取得された情報に基づいて特定される。例えば、出荷管理情報１３４において出荷先からの要望で出荷を遅らせる旨が登録されている製品の進捗が遅れている場合、遅延の原因は顧客の都合であると判定される。また、品質管理情報１３５において品質に問題がある旨が登録されている製品の進捗が遅れている場合、遅延の原因は製品の品質であると判定される。
【００５３】
図４に示す進捗表示画面では、オーダ番号が「Ｇ」で製品番号が「９」の製品に対応する図形Ｆの内部に黒い正方形のシンボルＳが図示されている。黒い正方形のシンボルＳは、例えば、製品の品質に遅延の原因があることを示す。なお、遅延の原因に対応するシンボルＳの形状や色等は、遅延の原因を区別できるのであれば、どのようなものであってもよい。
【００５４】
このように、遅延の原因を判定し、遅延の原因に対応するシンボルＳを図形Ｆと対応づけて図示することにより、管理者等は、遅延が重大な原因によるものであるか否かを容易に判定することができる。また、管理者等は、遅延の原因に基づいて、リソースの調整や代品による対応といった複数の対策のうち妥当な対策を迅速に選択することができる。
【００５５】
また、進捗表示画面は、利用者の操作に応じて、詳細情報を表示することができるように構成されている。例えば、製造ラインの名称に対して所定の操作が行われた場合、その製造ラインでの過去１ヶ月間の製品の生産量の推移を示すグラフ等が表示される。また、製品に対応する図形Ｆに対して所定の操作が行われた場合、製品の出荷先や納期等に関する情報が表示される。ここでいう所定の操作とは、例えば、マウス等のポインティングデバイスを用いて対象をクリックする操作である。
【００５６】
図６は、詳細情報を表示する例を示す図である。図６に示す進捗表示画面では、オーダ番号が「Ｇ」で製品番号が「９」の製品に対応する図形Ｆに対して行われた所定の操作に応じて、吹き出しＢが表示されている。吹き出しＢの内部には、オーダ番号が「Ｇ」で製品番号が「９」の製品の出荷先と納期とが表示されている。
【００５７】
このように、利用者の操作に応じて詳細情報を表示することにより、表示が煩雑になることを回避しつつ、対策の立案等に必要な情報を利用者に提供することができる。
【００５８】
次に、図７を参照しながら、進捗表示装置１０の動作について説明する。図７は、進捗表示画面作成処理の処理手順を示すフローチャートである。図７に示す処理手順は、制御部１２が進捗表示プログラム１３１を実行することによって実現される。なお、図７に示す処理手順は、例えば、利用者によって画面の更新が要求されたタイミングで実行されてもよいし、所定の間隔で定期的に実行されてもよい。
【００５９】
制御部１２は、まず、インターフェースモジュール３０を介して取得した情報に基づいて進捗情報１３３を更新する（ステップＳ１０１）。また、制御部１２は、同様にして出荷管理情報１３４を更新し（ステップＳ１０２）、同様にして品質管理情報１３５を更新する（ステップＳ１０３）。そして、制御部１２は、工程マスタ１３２に基づいて、各製造ラインの工程を工程順に並べて図示する（ステップＳ１０４）。
【００６０】
続いて、制御部１２は、進捗情報１３３に含まれる未処理のデータを１つ選択する（ステップＳ１０５）。ここで、全てのデータが全て処理済みであるために未処理のデータを選択できなかった場合（ステップＳ１０６，Ｙｅｓ）、制御部１２は、表示画面作成処理を終了させる。
【００６１】
一方、未処理のデータを選択できた場合（ステップＳ１０６，Ｎｏ）、制御部１２は、選択されたデータに対応する製品の状態を判定する（ステップＳ１０７）。製品が仕掛かり中の場合（ステップＳ１０８，Ｙｅｓ）、制御部１２は、その製品に対応する図形Ｆを仕掛かり中の工程と対応づけて図示する（ステップＳ１０９）。一方、製品が仕掛かり中でない場合、すなわち、製品が工程間在庫となっている場合（ステップＳ１０８，Ｎｏ）、制御部１２は、その製品に対応する図形Ｆを完了済の工程と未着手の工程の中間に対応する位置に図示する（ステップＳ１１０）。
【００６２】
製品に対応する図形Ｆを図示した後、制御部１２は、その製品の進捗の進み具合を判定し（ステップＳ１１１）、進捗の進み具合に応じて図形Ｆの背景を設定する（ステップＳ１１２）。ここで、製品の進捗に所定以上の遅れが生じている場合（ステップＳ１１３，Ｙｅｓ）、制御部１２は、遅延の原因を判定し（ステップＳ１１４）、原因に対応するシンボルＳを図形Ｆに付加する（ステップＳ１１５）。
【００６３】
シンボルＳを図形Ｆに付加した後、制御部１２は、ステップＳ１０５以降を再実行する。また、製品の進捗に所定以上の遅れが生じていない場合も（ステップＳ１１３，Ｎｏ）、制御部１２は、ステップＳ１０５以降を再実行する。
【００６４】
上述してきたように、本実施例では、各製造ラインの工程を工程順に図示するとともに、製品に対応する図形を進捗状況に対応した態様で進捗状況に対応する位置に図示することとしたので、各種変動を早期に検出し、対策を迅速に立案することを支援することができる。
【００６５】
なお、上記の実施例で示した構成は、本発明の要旨を逸脱しない範囲で適宜変更することができる。例えば、進捗表示装置１０が、他の情報処理装置が有する表示部に進捗表示画面を表示することができるようにしてもよい。この場合、進捗表示画面は、例えば、ＨＴＭＬデータとして他の情報処理装置へ提供される。また、この場合、他の情報処理装置を操作する利用者の権限に応じて、詳細情報の表示の有無または範囲を制御することとしてもよい。
【符号の説明】
【００６６】
１０    進捗表示装置
１１    通信部
１２    制御部
１２１  ＣＰＵ
１２２  メモリ
１３    記憶部
１３１  進捗表示プログラム
１３２  工程マスタ
１３３  進捗情報
１３４  出荷管理情報
１３５  品質管理情報
１４    表示部
１５    入力部
１６    媒体読取部
２１    作業計画作成装置
２２    進捗管理装置
２３    出荷管理装置
２４    品質管理装置
３０    インターフェースモジュール
【図１】
0005812648.tif 000002
【図２】
0005812648.tif 000003
【図３】
0005812648.tif 000004
【図４】
0005812648.tif 000005
【図５】
0005812648.tif 000006
【図６】
0005812648.tif 000007
【図７】
0005812648.tif 000008